(57)【要約】【課題】  ユーザのニーズに合った操作性の良い携帯電話機を提供する。【解決手段】  複数の機能を処理する制御部１０２と、複数の機能にそれぞれ対応する複数のメニューの画面情報を記憶するメニュー記憶部１０４と、メニューを含むメニュー画面を表示する第１の表示部１０６と、複数の機能の中から使用する機能の選択を受け付ける受付部１１４と、メニュー記憶部１０４を参照し、選択された機能に対応するメニューの画像情報を取得し、選択された機能に対応するメニューを含むメニュー画面を第２の表示部１１０に表示させるメニュー表示制御部１１６と、を備える。【選択図】      図１
2006211266.tif 000002
【特許請求の範囲】
【請求項１】
複数の機能を処理する処理部と、
前記複数の機能にそれぞれ対応する複数のメニューの画面情報を記憶するメニュー記憶部と、
前記メニューを含むメニュー画面を表示するメニュー表示部と、
前記複数の機能の中から使用する機能の選択を受け付ける機能選択受付部と、
前記メニュー記憶部を参照し、前記選択された機能に対応する前記メニューの前記画像情報を取得し、前記選択された機能に対応する前記メニューを含むメニュー画面を前記メニュー表示部に表示させるメニュー表示制御部と、
を備えることを特徴とする携帯電話機。
【請求項２】
請求項１に記載の携帯電話機において、
前記機能に対応する前記メニューの前記メニュー画面中の表示位置の指定を受け付ける表示位置指定受付部と、
前記表示位置指定受付部が受け付けた前記表示位置を前記メニューに対応付けて記憶するメニュー情報テーブルと、を含み、
前記メニュー表示制御部は、前記メニュー情報テーブルを参照し、前記選択された前記機能に対応する前記メニューを前記表示位置に従って前記メニュー画面を生成し、前記メニュー表示部に表示させることを特徴とする携帯電話機。
【請求項３】
請求項１または２に記載の携帯電話機において、
複数の操作ボタンを含み、該操作ボタンの位置にキー内容を示すキー配置画面を表示するキー表示部と、
前記複数の機能毎に少なくとも一つの前記キー配置画面およびキー配置情報を対応付けて記憶するキー配置記憶部と、
前記キー配置記憶部を参照し、前記選択された機能に対応する前記キー配置画面を前記キー表示部に表示させるキー表示制御部と、
前記操作ボタンの操作を受け付け、前記キー配置記憶部にアクセスし、操作された前記操作ボタンに該当するキーを受け付けるキー受付部と、
を備えたことを特徴とする携帯電話機。
【請求項４】
請求項３に記載の携帯電話機において、
前記複数の操作ボタンが配置された透明な操作面を有する操作部を含み、
前記キー表示部は、前記操作部の背面に設けられ、前記複数の操作ボタンと同じ配置に表示されるキー配置画面を表示することを特徴とする携帯電話機。
【発明の詳細な説明】
【技術分野】
【０００１】
本発明は、携帯電話機に関し、特に、複数の機能を有する携帯電話機に関する。
【背景技術】
【０００２】
近年、周辺技術の進歩に伴い、携帯電話の小型化高機能化にはめざましいものがある。従来の携帯電話は、たとえば、本体前面に設けられた操作部に多数の入力操作キーが配置され、複数のモード切替操作によってキー配置を変更しながら、各種操作を行う。たとえば、特許文献１に記載の携帯情報端末では、図１３に示すように、可能な限り少数のキーで直感的かつ確実な入力を可能とし、高齢者などでも使い安くなるような工夫がなされている。同文献の携帯情報端末１は、６つの入力キー４で入力を可能とするために、操作部３は、図１４に示す複数のモード毎に設けられた複数のキー配置で入力キー表示部７にキー表示を行い、ユーザのキー操作を受け付ける。入力キー表示部７のキー表示は、入力モード選択キー５をユーザが操作する度に図１４に示される順にモードに従って切り替わる。
【特許文献１】特開２００３−２７１２９５号公報
【発明の開示】
【発明が解決しようとする課題】
【０００３】
しかしながら、このような高機能化された携帯電話の複雑な機能を全てのユーザが必要としているかと言えば、そうでもなく、携帯電話本来の機能のみ、たとえば、通話のみを利用したいユーザも多数存在する。そのようなユーザにとっては、高機能化に伴う操作の複雑化は、携帯電話の使い勝手を低下させてしまう可能性があった。また、操作性が悪いと誤操作にもつながり兼ねない。
【課題を解決するための手段】
【０００４】
本発明によれば、複数の機能を処理する処理部と、
前記複数の機能にそれぞれ対応する複数のメニューの画面情報を記憶するメニュー記憶部と、
前記メニューを含むメニュー画面を表示するメニュー表示部と、
前記複数の機能の中から使用する機能の選択を受け付ける機能選択受付部と、
前記メニュー記憶部を参照し、前記選択された機能に対応する前記メニューの前記画像情報を取得し、前記選択された機能に対応する前記メニューを含むメニュー画面を前記メニュー表示部に表示させるメニュー表示制御部と、
を備えることを特徴とする携帯電話機が提供される。
【０００５】
ここで、携帯電話機とは、たとえば、携帯電話、ＰＨＳなどを含む携帯型の通信端末である。複数の機能とは、たとえば、直接番号を入力して電話をかけるダイヤル通話機能、アドレス帳から番号を選択して電話をかける機能、メールを送受信する機能、カメラ撮影機能などである。これらの複数の機能のうち、ユーザが選択した機能のメニューのみをメニュー画面に表示させることができる。
【０００６】
また、メニューの画面情報とは、たとえば、メニューと対応付けられている機能、すなわちプログラムファイル名や、メニューの識別子、メニューを示すアイコンの画像ファイル名、リストに示されるメニュー名称、あるいはメニューアイコンの画面上での表示位置、リスト上での表示順位、メニュー表示の有無などを含む。また、複数のメニュー画面のメニュー項目の階層構造や画面推移情報なども含むことができる。
【０００７】
メニュー画面には、たとえば、各機能を示すアイコンやリストによって、複数の機能に対応するメニューが表示される。メニュー表示部には、メニュー画面や、入力画面などの操作画面、各種情報表示画面、装置の動作や状態画面などが表示される。
【０００８】
この発明によれば、ユーザは複数の機能の中から使用する機能のみを選択し、メニュー画面にメニューを表示させるようにカスタマイズすることができるので、ユーザのニーズに合った使い勝手の良い携帯電話機が提供される。
【０００９】
上記携帯電話機において、前記機能に対応する前記メニューの前記メニュー画面中の表示位置の指定を受け付ける表示位置指定受付部と、前記表示位置指定受付部が受け付けた前記表示位置を前記メニューに対応付けて記憶するメニュー情報テーブルと、を含み、前記メニュー表示制御部は、前記メニュー情報テーブルを参照し、前記選択された前記機能に対応する前記メニューを前記表示位置に従って前記メニュー画面を生成し、前記メニュー表示部に表示させることができる。
【００１０】
この構成によれば、ユーザが指定した位置にメニューを表示させることができるので、ユーザにとって使い易いメニュー画面にカスタマイズでき、使い勝手が向上する。
【００１１】
上記携帯電話機において、複数の操作ボタンを含み、該操作ボタンの位置にキー内容を示すキー配置画面を表示するキー表示部と、前記複数の機能毎に少なくとも一つの前記キー配置画面およびキー配置情報を対応付けて記憶するキー配置記憶部と、前記キー配置記憶部を参照し、前記選択された機能に対応する前記キー配置画面を前記キー表示部に表示させるキー表示制御部と、前記操作ボタンの操作を受け付け、前記キー配置記憶部にアクセスし、操作された前記操作ボタンに該当するキーを受け付けるキー受付部と、を備えることができる。
【００１２】
この構成によれば、機能毎に操作ボタンのキー配置を変更させることができるので、各機能に必要なキーのみを表示させることができる。これにより、ユーザが必要な操作を視覚的に認識し易いので迷いや誤操作を低減でき、操作性が向上し、利便性の良い携帯電話機が提供される。
【００１３】
上記携帯電話機において、前記複数の操作ボタンが配置された透明な操作面を有する操作部を含むことができ、前記キー表示部は、前記操作部の背面に設けられ、前記複数の操作ボタンと同じ配置に表示されるキー配置画面を表示することができる。
【００１４】
ここで、キー表示部は、たとえば、液晶表示器である。キー表示部には、状況に応じて変更されるキー配置画面が表示される。このキー表示部に表示されたキー配置画面が、操作部の操作面上に透過して見えるようになっている。
【００１５】
この構成によれば、操作部の背面に設けられた液晶表示器に、機能に応じた操作ボタンのキー配置を含むキー配置画面を表示させることができるので、機能に合ったキー配置をその都度表示させることができ、操作が分かりやすく、操作性が向上し、利便性の良い携帯電話機が提供される。
【００１６】
なお、以上の構成要素の任意の組合せ、本発明の表現を方法、装置、システム、記録媒体、コンピュータプログラムなどの間で変換したものもまた、本発明の態様として有効である。
【発明の効果】
【００１７】
本発明によれば、ユーザのニーズに合った操作性の良い携帯電話機が提供される。
【発明を実施するための最良の形態】
【００１８】
以下、本発明の実施の形態について、図面を用いて説明する。尚、すべての図面において、同様な構成要素には同様の符号を付し、適宜説明を省略する。
【００１９】
図１は、本発明の実施の形態に係る携帯電話機１００を示す機能ブロック図である。本実施形態の携帯電話機１００は、複数の機能を処理する処理部（制御部１０２およびプログラム記憶部１２０）と、複数の機能にそれぞれ対応する複数のメニューの画面情報を記憶するメニュー記憶部（メニュー記憶部１０４）と、メニューを含むメニュー画面を表示するメニュー表示部（第１の表示部１０６）と、複数の機能の中から使用する機能の選択を受け付ける機能選択受付部（受付部１１４）と、メニュー記憶部を参照し、選択された機能に対応するメニューの画像情報を取得し、選択された機能に対応するメニューを含むメニュー画面をメニュー表示部に表示させるメニュー表示制御部（メニュー表示制御部１１６）と、を備える。
【００２０】
本実施形態の携帯電話機１００は、たとえば、携帯電話、ＰＨＳなどを含む携帯型の通信端末である。なお、図１において、本発明の本質に関わらない部分の構成については省略してあり、たとえば、携帯電話の構成であるアンテナ、無線通信部、スピーカやマイクなどの音声入出力部、撮像部、メール送受信部などは図示されていない。
【００２１】
また、携帯電話機１００の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置にはいろいろな変形例があることは、当業者には理解されるところである。以下説明する各図は、ハードウエア単位の構成ではなく、機能単位のブロックを示している。
【００２２】
図１に示すように、携帯電話機１００は、制御部１０２と、メニュー記憶部１０４と、第１の表示部１０６と、キーボードパネル１０８と、第２の表示部１１０と、キー配置記憶部１１２と、受付部１１４と、メニュー表示制御部１１６と、キー表示制御部１１８と、プログラム記憶部１２０と、を備えている。
【００２３】
制御部１０２は、携帯電話機１００の各要素とともに装置全体を制御する。また、制御部１０２は、プログラム記憶部１２０に格納された複数のプログラムを実行することによって、複数の機能、たとえば、直接番号を入力して電話をかけるダイヤル通話機能、アドレス帳から番号を選択して電話をかける機能、メールを送受信する機能、カメラ撮影機能などに加え、ウェブアクセス機能、スケジュール機能、アラーム機能、電卓機能、辞書機能、ゲーム機能、赤外線通信機能、画像認識機能、ミュージックプレーヤ機能、音声録音機能、各種アプリケーション実行機能などを実現することができる。
【００２４】
メニュー記憶部１０４は、第１の表示部１０６に表示されるメニューの画面情報を記憶する。ここで、メニューの画面情報とは、たとえば、メニューと対応付けられている機能、すなわちプログラムファイル名や、メニューの識別子、メニューを示すアイコンの画像ファイル名、リストに示されるメニュー名称、あるいはメニューアイコンの画面上での表示位置、リスト上での表示順位、メニュー表示の有無などを含む。また、複数のメニュー画面のメニュー項目の階層構造や画面推移情報なども含むことができる。
【００２５】
第１の表示部１０６は、たとえば液晶表示器であり、複数の機能を実行するとき操作するアイコンなどを含むメニュー画面や、入力画面などの操作画面、各種情報表示画面、携帯電話機１００の動作や状態画面などの表示を行う。メニュー画面には、たとえば、各機能を示すアイコンやリストによって、各機能に対応するメニューが表示される。
【００２６】
キーボードパネル１０８は、複数の操作ボタン１５０が配置された透明な操作面を有する。第２の表示部１１０は、たとえば、液晶表示器であり、キーボードパネル１０８の背面に設けられ、複数の操作ボタン１５０と同じ配置に表示されるキー配置画面を表示する。キーボードパネル１０８は、第２の表示部１１０に表示されたキー配置画面が操作面上に透過して見えるようになっている。
【００２７】
キー配置記憶部１１２は、第２の表示部１１０に表示されるキー配置画面のキー配置情報などを機能毎に記憶する。図２にキー配置記憶部１１２に記憶されるキー配置テーブル１２２の構造の一例を示す。キー配置テーブル１２２には、メニュー画面毎にキー配置が対応付けられている。図１に戻り、受付部１１４は、ユーザによる携帯電話機１００のキーボードパネル１０８の操作を受け付ける。このとき、受付部１１４は、現在第２の表示部１１０に表示されているキー配置画面が何れであるかをキー表示制御部１１８からの通知により認識し、キー配置を取得し、操作された操作ボタンに対応するキーを取得する。あるいは、受付部１１４が、直接キー配置テーブル１２２を参照し、キー表示制御部１１８から通知された現在表示中のキー配置画面に対応するキーを取得してもよい。
【００２８】
メニュー表示制御部１１６は、第１の表示部１０６への各種画面の表示を行う。たとえば、メニュー表示制御部１１６は、メニュー記憶部１０４を参照し、受付部１１４が選択した機能のメニューを含むメニュー画面を第１の表示部１０６に表示する。例として、第１の表示部１０６には、図３（ａ）に示す標準メニュー画面１３０においては、複数の機能に対応するメニューアイコン１３２（図中、Ａ、Ｂ、・・・、Ｉと示す）が含まれ、表示される。この複数の機能の中からユーザにニーズに応じた機能のみを選択することができる。
【００２９】
たとえば、複数の機能の中から機能Ａのみが選択された場合、第１の表示部１０６には、図３（ｂ）に示すように機能Ａのメニューアイコン１３２を一つだけ含むオリジナルメニュー画面１４０が表示されることとなる。このように、ユーザは複数の機能の中から使用する機能のみを選択し、メニュー画面にメニューを表示させたり、指定した位置にメニューを表示させたりしてメニューを編集することができるので、ユーザにとって使い易いメニュー画面にカスタマイズでき、使い勝手が向上する。
【００３０】
図１に戻り、キー表示制御部１１８は、キー配置記憶部１１２にアクセスしキー配置テーブル１２２を参照し、受付部１１４が選択した機能に対応するキー配置画面をキー表示制御部１１８に表示させる。たとえば、電話番号を入力する機能の場合、キー表示制御部１１８は、図２のキー配置テーブル１２２からメニュー項目Ｂ４に対応するキー配置を取得し、図４（ａ）に示す番号入力キー配置画面１５２が第２の表示部１１０に表示される。キーボードパネル１０８上に、この番号入力キー配置画面１５２が透けて見えるので、そのキー配置で操作ボタン１５０が機能することとなる。
【００３１】
また、カナ文字入力を行う場合は、キー表示制御部１１８が図２のキー配置テーブル１２２からメニュー項目Ｂ３に対応するキー配置を取得し、図４（ｂ）に示す文字入力キー配置画面１５４が第２の表示部１１０に表示される。さらに、検索またはスクロールなどを行う場合は、キー表示制御部１１８が図２のキー配置テーブル１２２からメニュー項目Ａ１に対応するキー配置を取得し、図４（ｃ）に示す移動選択キー配置画面１５６が第２の表示部１１０に表示される。このように、第２の表示部１１０に表示されるキー配置画面を変えることによって、キーボードパネル１０８の操作ボタン１５０のキー配置を変更することができる。
【００３２】
また、キー表示制御部１１８は、受付部１１４が受け付けた操作が何れのキーに対応するのかを、キー配置テーブル１２２を参照して現在第２の表示部１１０に表示されているメニュー項目に対応するキー配置から取得し、受付部１１４に通知する。
【００３３】
このように、第２の表示部１１０の表示を機能に合わせて変更することにより、複数の機能に対応したキーボードパネル１０８を提供することができる。これにより、ユーザが必要な操作を視覚的に認識し易いので迷いや誤操作を低減でき、操作性が向上する。
【００３４】
このように構成された携帯電話機１００の動作について、以下に説明する。はじめに、携帯電話機１００におけるメニュー編集時の動作について、説明する。図５は、本実施形態の携帯電話機１００のメニュー編集時の動作の一例を示すフローチャートである。また、図６は、本実施形態の携帯電話機１００のメニュー編集時のメニュー画面およびキー配置画面の一例を示す図である。
【００３５】
図７は、本実施形態の携帯電話機１００のメニュー情報テーブル２００の構造の一例を示す図である。メニュー情報テーブル２００は、メニューの識別子である項目名２０２と、コード番号２０４と、メニューアイコンの画面上での表示位置２０６と、メニュー表示の有無や状態を示す表示状態２０８と、を含む。この他に、メニュー情報テーブル２００は、メニューと対応付けられている機能、すなわちプログラムファイル名や、メニューを示すアイコンの画像ファイル名、リストに示されるメニュー名称、リスト上での表示順位、などを含むことができる。さらに、各メニュー項目の階層構造や画面推移情報なども含むことができる。
【００３６】
図８は、本実施形態の携帯電話機１００におけるメニュー編集によるメニュー情報テーブル２００の状態遷移を説明するための図である。以下、図１、および図５乃至図８を用いて説明する。
【００３７】
図５に示すように、まず、図１のメニュー表示制御部１１６が第１の表示部１０６に図６（ａ）の標準メニュー画面１３０を表示する（ステップＳ１１）。また、図１のキー表示制御部１１８が第２の表示部１１０に図６（ａ）のメニュー編集キー配置画面１６０を表示する。つづいて、ユーザが変更したいメニューをキーボードパネル１０８の操作ボタン１５０を操作する。ここでは、「Ｂ」キーに該当する操作ボタン１５０を操作したとする（図６（ｂ）参照）。図１の受付部１１４がキーボードパネル１０８の「Ｂ」キーに該当する操作ボタン１５０が操作されたことを受け付ける（ステップＳ１３）。
【００３８】
つづいて、図６（ｃ）に示すように、ユーザによる「ＯＦＦ」キーに該当する操作ボタン１５０の操作を受付部１１４が受け付けると（ステップＳ１５のＯＦＦ）、図１のメニュー表示制御部１１６は、第１の表示部１０６の「Ｂ」に該当するメニューアイコン１３２を反転させて表示する。同時に、メニュー表示制御部１１６は、図７に示すメニュー情報テーブル２００の該当する表示状態２０８をＯＮからＯＦＦに変更する。これにより、図６（ｆ）に示すようにオリジナルメニュー画面１４２からメニューＢが削除されることとなる（ステップＳ１７）。
【００３９】
また、ユーザによる「ＯＮ」キーに該当する操作ボタン１５０の操作を受付部１１４が受け付けると（ステップＳ１５のＯＮ）、メニュー表示制御部１１６は、第１の表示部１０６の「Ｅ」に該当するメニューアイコン１３２をブリンク表示や色替えなどの強調表示を行う（図６（ｄ）参照）。この時、第２の表示部１１０に、「ＵＰ」および「ＤＯＷＮ」キーの操作ボタン１５０が表示され、ユーザがこの操作ボタン１５０を操作することによって、選択されたメニューアイコン１３２を移動させることができる。
【００４０】
受付部１１４が、「ＵＰ」または「ＤＯＷＮ」キーの操作ボタン１５０の操作を受け付けると（ステップＳ１９のＹＥＳ）、ステップＳ１３で選択されているメニューアイコン１３２を移動させる。たとえば、ここでは、受付部１１４は、「ＤＯＷＮ」キーの操作を受け付け、図６（ｅ）に示すように、メニュー表示制御部１１６は、第１の表示部１０６の「Ｅ」に該当するメニューアイコン１３２の表示位置を一つ右にずらして表示する。同時に、メニュー表示制御部１１６は、メニュー情報テーブル２００のメニュー「Ｅ」に該当する表示位置２０６を変更する（不図示）。これにより、図６（ｆ）に示すオリジナルメニュー画面１４２において、メニューＥの表示位置が右に１つ移動する（ステップＳ２１）。
【００４１】
キーボードパネル１０８の「戻る」キーの操作を受付部１１４が受け付けると、メニュー変更処理を終了と判断し（ステップＳ２３のＹＥＳ）、本処理を終了する。
【００４２】
以上説明したように、本実施形態の携帯電話機１００によれば、ユーザは複数の機能の中から使用する機能のみを選択し、メニュー画面にメニューを表示させるようにカスタマイズすることができるので、ユーザのニーズに合った使い勝手が向上する。また、機能毎に操作ボタンのキー配置を変更させることができるので、各機能に必要なキーのみを表示させることができる。これにより、ユーザが必要な操作を視覚的に認識し易いので迷いや誤操作を低減でき、操作性が向上し、利便性の良い携帯電話機が提供される。
【実施例】
【００４３】
（実施例１）
本発明の第１の実施例の携帯電話機では、複数の機能の中から、アドレス帳を用いて電話をかける機能のみがユーザによって選択されている。アドレス帳を用いて電話をかける機能のみが選択されているので、図９（ａ）に示すように、カスタマイズされたメニュー画面３００にはアドレス帳アイコン３０１のみが含まれ、第１の表示部１０６に表示される。なお、図９は、本実施例の携帯電話機のメニュー構成と画面推移を説明するための図である。
【００４４】
はじめに、本実施例の携帯電話機の構成について説明する。図１０は、本実施例の携帯電話機のアドレス帳参照および通話機能の構成を示す機能ブロック図である。携帯電話機は、アドレス帳記憶部４００（図中、「アドレス帳」と示す）と、キー受付部４０２と、検索部４０４と、アドレス帳表示部４０６と、宛先受付部４１０と、発信部４１２と、接続部４１４と、を含む。
【００４５】
アドレス帳記憶部４００は、宛先名、電話番号などの宛先情報を含むアドレス帳を記憶する。キー受付部４０２は、アドレス帳から宛先の電話番号を検索する時のキーの入力を受け付ける。検索部４０４は、キー受付部４０２が受け付けた検索キーで、アドレス帳記憶部４００のアドレス帳の該当する宛先を検索し、得られた宛先の電話番号などの宛先情報を抽出する。アドレス帳表示部４０６は、検索部４０４が抽出した宛先情報を第１の表示部１０６に表示する。
【００４６】
宛先受付部４１０は、ユーザが直接操作ボタン１５０を操作して入力した電話番号または、第１の表示部１０６に表示された宛先情報の電話番号の選択を受け付ける。発信部４１２は、宛先受付部４１０が受け付けた電話番号で発信する。接続部４１４は、基地局と無線通信で携帯電話機を接続し、通信を行う。
【００４７】
このように構成された本実施例の携帯電話機の動作について、説明する。図１１は、本実施例の携帯電話機の動作の一例を示すフローチャートである。以下、図１、図９乃至図１１を用いて説明する。
【００４８】
まず、メニュー表示制御部１１６が図９（ａ）に示すメニュー画面３００を第１の表示部１０６に表示する（ステップＳ３１）。つづいて、ユーザが、キーボードパネル１０８の「選択」キーを操作したとき、図１の受付部１１４が、現在第２の表示部１１０に表示されているメニュー選択画面３０２のキー配置に基づいて、「アドレス帳」メニューの選択を受け付ける（ステップＳ３３のＹＥＳ）。なお、メニューの選択が受け付けられない間（ステップＳ３３のＮＯ）は、ステップＳ３１に戻る。
【００４９】
アドレス帳メニューが選択されると（ステップＳ３３のＹＥＳ）、図９（ｂ）に示すアドレス検索画面３１０が第１の表示部１０６に表示され、アドレス検索キー受付画面３１２が第２の表示部１１０に表示される（ステップＳ３４）。ここで、ユーザがキーボードパネル１０８の何れかの操作ボタン１５０を操作することによって、キー受付部４０２が検索キーの入力を受け付ける（ステップＳ３５）。
【００５０】
ここで、キー受付部４０２は、第２の表示部１１０に表示されているアドレス検索キー受付画面３１２のキー配置に基づいて、操作されたキーを認識する。たとえば、「戻る」キーの操作を受け付けると（ステップＳ３５の戻る）、ステップＳ３１に戻る。一方、「あ」キーなどの操作を受け付けると（ステップＳ３５のＹＥＳ）、検索部４０４が、アドレス帳記憶部４００にアクセスし、アドレス帳から「あ行」の宛先を検索して抽出する（ステップＳ３７）。
【００５１】
抽出された宛先の一覧を示す宛先一覧画面３２０が第１の表示部１０６に表示され、宛先選択画面３２２が第２の表示部１１０に表示される（ステップＳ３９）。ユーザが、宛先選択画面３２２の矢印キーに該当する操作ボタン１５０を操作して、宛先一覧画面３２０に表示された少なくとも一つの宛先のリストの中から一つの宛先を選択する。宛先選択画面３２２の「決定」キーをユーザが操作したとき、宛先受付部４１０が、ユーザが選択した宛先を受け付ける（ステップＳ４１の決定）。ここで、宛先受付部４１０は、第２の表示部１１０に表示されている宛先選択画面３２２のキー配置に基づいて、矢印キーおよび決定キーの操作を認識する。
【００５２】
そして、発信先画面３３０が第１の表示部１０６に表示され、発信操作画面３３２が第２の表示部１１０に表示される。ここで、ユーザが「通話」キーを操作すると（ステップＳ４２の通話）、宛先受付部４１０が第２の表示部１１０に表示されている発信操作画面３３２のキー配置に基づいて、操作を受け付け、発信部４１２が選択された電話番号を発信し（ステップＳ４３）、接続部４１４が通信を開始する（ステップＳ４５）。一方、図９（ｄ）において、受付部１１４が、第２の表示部１１０に表示されている発信操作画面３３２のキー配置に基づいて、ユーザによる「編集」キーの操作を受け付けると、編集部（不図示）が宛先を編集し、アドレス帳記憶部４００のアドレス帳を更新する。また、受付部１１４が、ユーザによる「戻る」キーの操作を受け付けと、図９（ｃ）の画面に戻る。
【００５３】
通話中は、図９（ｅ）に示すように、通話中画面３４０が第１の表示部１０６に表示され、切断操作画面３４２が第２の表示部１１０に表示される。ここで、ユーザによる「通話切断」キーの操作を受付部１１４が受け付けると（ステップＳ４７のＹＥＳ）、接続部４１４が通信を切断し（ステップＳ４９）、処理を終了する。ここで、受付部１１４は、第２の表示部１１０に表示されている切断操作画面３４２のキー配置に基づいて、通話切断キーの操作を認識して受け付ける。
【００５４】
以上説明したように、本実施例の携帯電話機によれば、ユーザは自分が必要とする機能のみを選択してメニュー画面にメニュー表示させることができるとともに、機能毎に必要なキーのみを操作キーとして表示させることができるので、ユーザが必要な操作を視覚的に認識し易く、迷いや誤操作を低減できる。これにより携帯電話機の操作性が向上する。
【００５５】
（実施例２）
本発明の第２の実施例の携帯電話機は、図１２に示すキー配置画面を有する。このように、キー配置記憶部１１２に、キー配置画面を登録するだけで、様々なキー配置を実現できる。キー配置記憶部１１２には、キー配置画面と、操作ボタンの位置に対応したキー情報を示すキー配置情報と、が記憶される。キー表示制御部１１８は、キー配置記憶部１１２にアクセスし、該当するキー配置画面を取得し、第２の表示部１１０に表示する。また、受付部１１４は、キーボードパネル１０８の操作ボタン１５０の操作を受け付けた場合、キー表示制御部１１８から表示中のキー配置画面およびキー配置情報を取得し、操作されたキーが何であるかを認識して受け付ける。
【００５６】
以上、図面を参照して本発明の実施形態について述べたが、これらは本発明の例示であり、上記以外の様々な構成を採用することもできる。
【図面の簡単な説明】
【００５７】
【図１】本発明の実施の形態に係る携帯電話機を示す機能ブロック図である。
【図２】本実施形態の携帯電話機のキー配置テーブルの構造の一例を示す図である。
【図３】本実施形態の携帯電話機のメニュー画面の例を示す図である。
【図４】本実施形態の携帯電話機のキー配置画面の例を示す図である。
【図５】本実施形態の携帯電話機のメニュー編集時の動作の一例を示すフローチャートである。
【図６】本実施形態の携帯電話機のメニュー編集時のメニュー画面およびキー配置画面の一例を示す図である。
【図７】本実施形態の携帯電話機のメニュー情報テーブルの構造の一例を示す図である。
【図８】本実施形態の携帯電話機におけるメニュー編集によるメニュー情報テーブルの状態遷移を説明するための図である。
【図９】本実施例の携帯電話機のメニュー構成と画面推移を説明するための図である。
【図１０】本実施例の携帯電話機のアドレス帳参照および通話機能の構成を示す機能ブロック図である。
【図１１】本実施例の携帯電話機の動作の一例を示すフローチャートである。
【図１２】他の実施例の携帯電話機のキー配置画面を示す図である。
【図１３】従来の携帯情報端末のキー配置画面を示す図である。
【図１４】図１３の従来の携帯情報端末の入力モードの遷移図である。
【符号の説明】
【００５８】
１００  携帯電話機
１０２  制御部
１０４  メニュー記憶部
１０６  第１の表示部
１０８  キーボードパネル
１１０  第２の表示部
１１２  キー配置記憶部
１１４  受付部
１１６  メニュー表示制御部
１１８  キー表示制御部
１２０  プログラム記憶部
１２２  キー配置テーブル
１３０  標準メニュー画面
１３２  メニューアイコン
１４０  オリジナルメニュー画面
１４２  オリジナルメニュー画面
１５０  操作ボタン
２００  メニュー情報テーブル
４００  アドレス帳記憶部
４０２  キー受付部
４０４  検索部
４０６  アドレス帳表示部
４１０  宛先受付部
４１２  発信部
４１４  接続部
【図１】
2006211266.tif 000003
【図２】
2006211266.tif 000004
【図３】
2006211266.tif 000005
【図４】
2006211266.tif 000006
【図５】
2006211266.tif 000007
【図６】
2006211266.tif 000008
【図７】
2006211266.tif 000009
【図８】
2006211266.tif 000010
【図９】
2006211266.tif 000011
【図１０】
2006211266.tif 000012
【図１１】
2006211266.tif 000013
【図１２】
2006211266.tif 000014
【図１３】
2006211266.tif 000015
【図１４】
2006211266.tif 000016